(57)【特許請求の範囲】
【請求項１】
片側に吸込口を有した筒状のケーシングと、
前記ケーシングに内包されたプロペラファンと、
前記プロペラファンの下流側に前記プロペラファンを回転させるモータと、
前記プロペラファンの下流側に前記モータを保持するモータ支持部と、
前記吸込口と反対側の開口を覆う凹形のフードと、
前記ケーシングと前記フードとを一定の距離で保持する支持部と、
前記フードの外周部と前記ケーシングの外周部とにより形成される吐出口を備えた屋上換気扇であって、
前記モータ支持部は、
前記プロペラファン側に前記モータの回転軸に対して面平行かつ前記モータから外周方向に向けて直立状に形成した直立ガイドと、
前記直立ガイドの前記フード側の端部から前記プロペラファンの回転方向側に屈曲させた傾斜ガイドと、を有したことを特徴とする屋上換気扇。
【請求項２】
前記傾斜ガイドの短手方向の長さを前記直立ガイドの短手方向の長さ以上にしたことを特徴とする請求項１に記載の屋上換気扇。
【発明の詳細な説明】
【技術分野】
【０００１】
本発明は、屋内の換気を行なうために建物の屋上に設置される屋上換気扇に関するものである。
【背景技術】
【０００２】
従来、この種の屋上換気扇は、羽根車の下流側にモータを配置し、そのモータをモータ支持部により支持したものが知られている（例えば、特許文献１参照）。
【０００３】
以下、特許文献１記載の屋上換気扇について図３、図４を参照しながら説明する。
【０００４】
図３、図４に示すように、従来の屋上換気扇１０１は、建物の屋上１０２に架台１０３を用いて設置されている。屋上換気扇１０１の架台１０３側には吸込口１０４があり、吸込口１０４は室内側の空間１０５とつながっている。吸込口１０４は筒状のケーシング１０６と連結されており、ケーシング１０６には、プロペラファン１０７が内包されている。プロペラファン１０７には、プロペラファン１０７を回転させるためのモータ１０８が連結されており、このモータ１０８は、モータ支持部１０９によりケーシング１０６内の所定の位置に保持されている。ケーシング１０６の吸込口１０４と反対側の開口１１０には、開口１１０を覆うように機器内への雨や雪の浸入を防ぐための凹形のフード１１１が備えられている。ケーシング１０６とフード１１１とはフード支持部１１２により一定の距離を保って保持されている。開口１１０とフード１１１との間には吐出口１１３が形成されており、吐出口１１３は屋外側の空間１１４とつながっている。
【０００５】
モータ１０８を駆動させると、プロペラファン１０７が回転し、室内側の空間１０５の気体が吸込口１０４からケーシング１０６内に吸い込まれる。ケーシング１０６内に流入した気流は、旋回しながらモータ１０８の回転軸１１５方向に向う直進性のある気流１１６となってケーシング１０６内を直進する。この気流１１６はモータ支持部１０９に衝突しながらケーシング１０６内を直進し、フード１１１に到達したあとフード１１１により吐出口１１３へと向う気流１１７へと方向転換され、気流１１８となって吐出口１１３から屋外側の空間１１４へと排出される。
【先行技術文献】
【特許文献】
【０００６】
【特許文献１】実開平５−６４３３３号公報
【発明の概要】
【発明が解決しようとする課題】
【０００７】
このような従来の屋上換気扇１０１においては、軸流ファンすなわちプロペラファン１０７で発生させた旋回しながらモータ１０８の回転軸１１５方向に直進している気流１１６が、モータ支持部１０９に衝突することで回転軸１１５方向以外の方向に乱され（気流１１９）、その影響でフード１１１内の気流が乱れて吐出口１１３までスムーズに流れない。すなわち、気流がモータ支持部１０９に衝突することにより圧力損失が大きくなり性能（風量）が低下するという課題を有していた。
【０００８】
そこで本発明は、このような従来の課題を解決するものであり、風路にモータを保持するモータ支持部があっても性能（風量）の低下を防止することができる屋上換気扇を提供することを目的とする。
【課題を解決するための手段】
【０００９】
そして、この目的を達成するために、本発明は、片側に吸込口を有した筒状のケーシングと、前記ケーシングに内包されたプロペラファンと、前記プロペラファンの下流側に前記プロペラファンを回転させるモータと、前記プロペラファンの下流側に前記モータを保持するモータ支持部と、前記吸込口と反対側の開口を覆う凹形のフードと、前記ケーシングと前記フードとを一定の距離で保持する支持部と、前記フードの外周部と前記ケーシングの外周部とにより形成される吐出口を備えた屋上換気扇であって、前記モータ支持部は、前記プロペラファン側に前記モータの回転軸に対して面平行かつ前記モータから外周方向に向けて直立状に形成した直立ガイドと、前記直立ガイドの前記フード側の端部から前記プロペラファンの回転方向側に屈曲させた傾斜ガイドと、を有したものであり、これにより所期の目的を達成するものである。
【発明の効果】
【００１０】
本発明によれば、片側に吸込口を有した筒状のケーシングと、前記ケーシングに内包されたプロペラファンと、前記プロペラファンの下流側に前記プロペラファンを回転させるモータと、前記プロペラファンの下流側に前記モータを保持するモータ支持部と、前記吸込口と反対側の開口を覆う凹形のフードと、前記ケーシングと前記フードとを一定の距離で保持する支持部と、前記フードの外周部と前記ケーシングの外周部とにより形成される吐出口を備えた屋上換気扇であって、前記モータ支持部は、前記プロペラファン側に前記モータの回転軸に対して面平行かつ前記モータから外周方向に向けて直立状に形成した直立ガイドと、前記直立ガイドの前記フード側の端部から前記プロペラファンの回転方向側に屈曲させた傾斜ガイドと、を有したことにより、プロペラファンで発生し、旋回しながらモータの回転軸方向に直進するケーシング内の気流は、モータ支持部の直立ガイドに衝突した後、モータ支持部の屈曲面である傾斜ガイド部に沿って再度旋回気流へと方向転換される。すなわち、屈曲したモータ支持部で気流をフードの外周側（吐出口側）に向う旋回した気流へと方向転換させることとなるので、風路にモータを保持するモータ支持部があっても性能（風量）の低下を防止することができる、という効果を得ることができる。
【図面の簡単な説明】
【００１１】
【図１】本発明の実施の形態１の屋上換気扇の正面から見た内部構成図
【図２】同実施の形態１の屋上換気扇の内部の旋回気流の流れを示す斜視図
【図３】従来の屋上換気扇の正面から見た内部構成図
【図４】同屋上換気扇の内部の気流の流れを示す斜視図
【発明を実施するための形態】
【００１２】
本発明の請求項１記載の屋上換気扇は、片側に吸込口を有した筒状のケーシングと、前記ケーシングに内包されたプロペラファンと、前記プロペラファンの下流側に前記プロペラファンを回転させるモータと、前記プロペラファンの下流側に前記モータを保持するモータ支持部と、前記吸込口と反対側の開口を覆う凹形のフードと、前記ケーシングと前記フードとを一定の距離で保持する支持部と、前記フードの外周部と前記ケーシングの外周部とにより形成される吐出口を備えた屋上換気扇であって、前記モータ支持部は、前記プロペラファン側に前記モータの回転軸に対して面平行かつ前記モータから外周方向に向けて直立状に形成した直立ガイドと、前記直立ガイドの前記フード側の端部から前記プロペラファンの回転方向側に屈曲させた傾斜ガイドと、を有したものである。これにより、プロペラファンで発生し、旋回しながらモータの回転軸方向に直進するケーシング内の気流は、モータ支持部の直立ガイドに衝突した後モータ支持部の屈曲面である傾斜ガイド部に沿って再度旋回気流へと方向転換される。すなわち、屈曲したモータ支持部で気流をフードの外周側（吐出口側）に向う旋回した気流へと方向転換させることとなるので、風路にモータを保持するモータ支持部があっても性能（風量）の低下を防止することができるという効果を奏する。
【００１３】
また、前記傾斜ガイドの短手方向の長さを前記直立ガイドの短手方向の長さ以上にするという構成にしてもよい。これにより、プロペラファンで発生し、旋回しながらモータの回転軸方向に直進するケーシング内の気流は、モータ支持部の直立ガイドに衝突した後直立ガイドの短手方向に流れてモータ支持部の屈曲面である傾斜ガイド部に沿って傾斜ガイドの短手方向に流れ再度旋回気流へと方向転換される。このとき傾斜ガイドの短手方向の長さが直立ガイドの短手方向の長さよりも長いため、気流の傾斜ガイドとの接触時間を長く確保できる。気流の傾斜ガイドとの接触時間を長くすることによってより旋回方向へ向う気流へと方向変換させている。すなわち屈曲したモータ支持部でより気流をフードの外周側（吐出口側）に向う旋回した気流へと方向転換することとなるので、更に風路にモータを保持するモータ支持部があっても性能（風量）の低下を防止することができるという効果を奏する。
【００１４】
以下、本発明の実施の形態について図面を参照しながら説明する。
【００１５】
（実施の形態１）
図１に示すように、本実施の形態による屋上換気扇１は、建物の屋上２に架台３を用いて設置されている。
【００１６】
そして、屋上換気扇１の架台３側、すわなち、後述するケーシング６の片側には吸込口４があり、吸込口４は室内側の空間５とつながっている。
【００１７】
そして、吸込口４は筒状のケーシング６と連結されており、ケーシング６には、プロペラファン７が内包されている。
【００１８】
そして、プロペラファン７には、プロペラファン７を回転させるためのモータ８が連結されており、このモータ８は、モータ支持部９によりケーシング６内の所定の位置、すなわち、プロペラファン７の下流側（室内側の空間５と対向する側）に保持されている。
【００１９】
なお、モータ８はＡＣモータでもＤＣモータでも良いが、ここではコストの安いＡＣモータを使用している。
【００２０】
そして、ケーシング６の吸込口４と反対側すなわち対向する側の開口１０には、開口１０を覆うようにケーシング６の内部への雨や雪の浸入を防ぐための凹形のフード１１が備えられている。
【００２１】
そして、ケーシング６とフード１１とはフード支持部１２により風量による一定の距離を保って保持されている。
【００２２】
そして、開口１０とフード１１との間には吐出口１３が形成されており、吐出口１３は屋外側の空間１４とつながっている。
【００２３】
そして、モータ支持部９はプロペラファン７側をモータ８の回転軸１５方向に対して直立状に形成した直立ガイド１６と、フード側端部１７をプロペラファン７の回転方向１８側に屈曲させた傾斜ガイド１９とを有している。
【００２４】
そして、傾斜ガイド１９は、回転軸１５に垂直な面に対して４５°の角度で形成されている。
【００２５】
そして、傾斜ガイド１９の短手方向２０ａの長さは直立ガイド１６の短手方向２０ｂの長さよりも長くすることが好ましい。
【００２６】
なお、本実施の形態では傾斜ガイド１９と回転軸１５に垂直な面との角度を４５°としたが、３０°から６０°の範囲であればほぼ効果は同じである。
【００２７】
上記構成による作用・効果について説明する。
【００２８】
そして、モータ８を駆動させると、プロペラファン７が回転し、室内側の空間５の気体が吸込口４からケーシング６内に吸い込まれる。
【００２９】
そして、ケーシング６内に流入した気体は、旋回しながらモータ８の回転軸１５方向に向う気流２１となってケーシング６内を直進する。
【００３０】
また、気流は、よく一般的に知られているように物体の表面に沿って流れるという性質を持っているので、気流２１はモータ支持部９の直立ガイド１６部に衝突した後、モータ支持部９の屈曲面である傾斜ガイド１９部に沿って流れる。
【００３１】
そして、傾斜ガイド１９により角度をつけられ、再度、旋回気流２２へと方向転換される。
【００３２】
すなわち、モータ支持部９の傾斜ガイド１９で気流をフード１１の外周側（吐出口１３側）に向う旋回した気流へと方向転換させている。
【００３３】
この時、傾斜ガイド１９の短手方向２０ａの長さが直立ガイド１６の短手方向２０ｂの長さよりも長くすることにより、気流２１の傾斜ガイド１９との接触時間を長く確保できる。
【００３４】
そして、気流は接触時間の長い面に沿って流れ、傾斜ガイド１９に沿った形でより旋回方向へ向う旋回気流２２へと方向変換させることができる。
【００３５】
そして、旋回気流２２は旋回しながらケーシング６内を進み、フード１１へ到達したあとフード１１により吐出口１３へ向う気流２３へと方向変換される。
【００３６】
この時、旋回気流２２はフード１１に到達する前にすでに旋回しながら外側（フード１１の円周方向）へ向う気流となっているため、スムーズに気流２３への方向転換が行われ、気流２４となって吐出口１３から屋外側の空間１４に排出される。
【００３７】
このような本発明の実施の形態１の屋上換気扇によれば、風路にモータ８を保持するモータ支持部９があっても性能（風量）の低下を防止することができる。
【産業上の利用可能性】
【００３８】
本発明にかかる屋上換気扇は、風路にモータを保持するモータ支持部があっても性能（風量）の低下を防止することができるので、室内の換気に使用される換気扇でプロペラファンの下流側にモータとモータ支持部を有している換気扇等に適用できる。
【符号の説明】
【００３９】
１  屋上換気扇
２  建物の屋上
３  架台
４  吸込口
５  室内側の空間
６  ケーシング
７  プロペラファン
８  モータ
９  モータ支持部
１０  開口
１１  フード
１２  フード支持部
１３  吐出口
１４  屋外側の空間
１５  回転軸
１６  直立ガイド
１７  フード側端部
１８  回転方向
１９  傾斜ガイド
２０ａ  短手方向
２０ｂ  短手方向
２１  気流
２２  旋回気流
【図１】
0006634587.tif 000002
【図２】
0006634587.tif 000003
【図３】
0006634587.tif 000004
【図４】
0006634587.tif 000005